(57)【要約】【課題】障害釘や風車の部分の面積と液晶表示装置が配される部分の面積の比率をホールにおいて変更可能な遊技機を提供する。【解決手段】発射された遊技球を上部側から下部側へ流下案内可能とする遊技盤と、この遊技盤の表面と略同一の面上に映像視認面を有し、前記遊技盤に着脱可能とされる映像表示装置と、を備える遊技機とした。【選択図】図２
2005323918.tif 000002
【特許請求の範囲】
【請求項１】
発射された遊技球を上部側から下部側へ流下案内可能とする遊技盤と、
前記遊技盤の表面と略同一平面を形成して着脱可能とされる映像表示部保持盤と、
前記映像表示部保持盤に映像視認面を形成する映像表示装置と、を備える遊技機。
【請求項２】
前記映像表示部保持盤は、前記遊技球が流下可能とされる遊技球流下障害部材を有する請求項１に記載の遊技機。
【請求項３】
前記映像表示装置は、液晶表示部を有する請求項１または請求項２に記載の遊技機。
【請求項４】
前記映像表示装置は、前記映像表示部保持盤に配される映像投影部材及び前記映像投影部材に光ビームを発射する本体枠内に設けられる光ビーム発射部と、を有する請求項１または請求項２に記載の遊技機。
【請求項５】
前記映像投影部材は、少なくともその一部にはホログラムが形成され、
前記映像表示装置は、前記ホログラムにレーザ光を照射するレーザ光発射装置を有する請求項４に記載の遊技機。
【発明の詳細な説明】
【技術分野】
【０００１】
この発明は遊技機に関し、特に弾球遊技機に関するものである。
【背景技術】
【０００２】
従来、遊技機の一つとして弾球遊技機があり、この弾球遊技機を代表するものとしてパチンコ遊技機が知られている。
【０００３】
パチンコ遊技機は、遊技球を遊技盤上に発射して所定の入賞口に入球させ、入賞に応じて払い出される入賞球をより多く獲得することを目的として遊技するものである。このために遊技盤は、一般的に木製又は樹脂製の板状部材で構成されており、遊技者側から見た盤面には多数の障害釘や風車、さらには入賞口などが設けられている。
【０００４】
また、遊技盤の略中央には映像表示手段として、液晶表示装置を配置し、この液晶表示装置上で、やはり遊技機の１つであるスロットマシンのように、図柄などからなる複数の識別情報を変動表示するとともに、特定の組合せで停止表示されると遊技者に有利な遊技状態に移行させる遊技形態、所謂「可変表示ゲーム」を実行するようにしたものが一般的な遊技機形態となっている（例えば、特許文献１を参照）。
【特許文献１】特開２００３−３１７９７号公報。
【発明の開示】
【発明が解決しようとする課題】
【０００５】
ところが、これらの障害釘や風車は、遊技球の流下方向を変化させて遊技に変化と意外性を付する観点から、入賞口は、賞球を得る手段の観点から、液晶表示装置は、遊技者に視覚的な興奮を与える観点から、いずれも重要な部分であり、それらの面積は可能な限り広いことが遊技を面白くする点より望ましい。
【０００６】
しかしながら、従来は、これらのすべてが同一平面上に構成されていたために、障害釘や風車の部分の面積、入賞口が配される部分の面積および液晶表示装置が配される部分の面積の両方を同時に広くすることは困難であった。
【課題を解決するための手段】
【０００７】
請求項１記載の本発明の遊技機では、発射された遊技球を上部側から下部側へ流下案内可能とする遊技盤と、前記遊技盤の表面と略同一平面を形成して着脱可能とされる映像表示部保持盤と、前記映像表示部保持盤に映像視認面を形成する映像表示装置とを備える構成とした。
【０００８】
請求項２記載の本発明では、請求項１記載の遊技機において、前記映像表示部保持盤は、前記遊技球が流下可能とされる遊技球流下障害部材を有することにした。
【０００９】
請求項３記載の本発明の遊技機では、請求項１または請求項２に記載の遊技機において、前記映像表示装置は液晶表示部を有することにした。
【００１０】
請求項４記載の本発明の遊技機では、請求１または請求項２に記載の遊技機において、前記映像表示装置は、前記映像表示部保持盤に配される映像投影部材及び前記映像投影部材に光ビームを発射する本体枠内に設けられる光ビーム発射部を有することにした。
【００１１】
請求項５記載の本発明の遊技機では、請求項４に記載の遊技機において、前記映像投影部材は、少なくともその一部にはホログラムが形成され、前記映像表示装置は、前記ホログラムにレーザ光を照射するレーザ光発射装置を有することにした。
【発明の効果】
【００１２】
本発明の遊技機は、遊技盤と、着脱可能とされる映像表示部保持盤と、映像表示部保持盤に映像視認面を形成する映像表示装置とを備えるので、障害釘や風車、さらには入賞口などが設けられた部分の面積と映像視認面の面積との面積比率を容易に調整可能とできる。映像表示装置の交換は、ホール管理者によって容易に行うことができ、遊技者の幅広い要求に迅速に対応可能となる遊技機を提供することができる。
【発明を実施するための最良の形態】
【００１３】
本発明の遊技機は、発射された遊技球を上部側から下部側へ流下案内可能とする遊技盤と、前記遊技盤の表面と略同一平面を形成して着脱可能とされる映像表示部保持盤と、前記映像表示部保持盤に映像視認面を形成する映像表示装置とを備える構成としたものである。そのため、遊技球が遊技盤の表面と映像表示部保持盤の表面との両方を自由に流下することができる。
【００１４】
また、遊技盤に映像表示部保持盤が着脱可能とされるので、遊技盤に対して映像表示部保持盤を交換して組み合わせることができる。
【００１５】
更に、前記映像表示部保持盤に映像視認面を有して配される映像表示装置を備えるので、映像表示部保持盤の表面と映像視認面の大きさとの比率が調整可能とされ、種々の映像表示装置を選択して取り付けることが可能となる。
【００１６】
また、前記映像表示部保持盤は、前記遊技球が流下可能とされる遊技球流下障害部材を有するように構成することもでき、遊技球流下障害部材が配される部分の面積を広くすることができる。
【００１７】
さらに、前記遊技盤及び前記遊技球流下障害部材が配された部分の面積と前記映像視認面の面積の比率が調整可能とされるので、遊技球の流下部の面積を広くするか、映像表示部の面積を広くするかの選択が遊技者の好みに応じて容易に行える遊技機が提供できる。
【００１８】
また、前記映像表示装置は、液晶表示部を有するように構成することもでき、特に、液晶表示部が映像表示部保持盤の開口部に設けられるときには、開口部の面積に合った種々の大きさの液晶表示部を配した映像表示部保持盤を交換着脱して映像視認面の面積の大きさを調整することができる。
【００１９】
また、映像表示部保持盤に遊技球流下障害部材が配されるときにあって、映像視認面の面積を広く確保する場合には遊技球流下障害部材を配する部分の面積を狭くし、大型の液晶表示部を配した映像表示部保持盤を用い、遊技球流下障害部材を配する部分の面積を広く確保する場合には液晶表示部の占める面積を狭くし、小型の液晶表示部を配した映像表示部保持盤を用い、液晶表示部が交換可能な遊技機とすることができる。
【００２０】
更に、映像表示部保持盤の表面に遊技球流下障害部材を配し、裏面に液晶表示部を配するときには、遊技球流下障害部材を配した部分にも映像視認面を形成することができ、両者の配される部分の面積をより広くするとともに液晶表示部が交換可能な遊技機とすることができる。
【００２１】
また、前記映像表示装置は、前記映像表示部保持盤に配される映像投影部材及び前記映像投影部材に光ビームを発射する本体枠内に設けられる光ビーム発射部を有するように構成することもでき、寸法の大きい映像投影部材及び光ビーム発射部が遊技盤の裏面側である本体枠内に配されるので、遊技者が遊技盤を視認するに際して邪魔になることがない。
【００２２】
また、映像投影部材を映像表示部保持盤の開口部に設ける場合であっても、透明部材を介して映像投影部材を取り付ける場合であっても、映像投影部材の表面で光ビームが乱反射されて映像が表示されるように光ビームを発射する光ビーム発射部を有するので、映像視認面を映像投影部材または透明部材の表面に形成することができる。
【００２３】
さらに、前記映像投影部材は、少なくともその一部にホログラムが形成される場合においては、前記映像表示装置は、前記ホログラムにレーザ光を照射するレーザ光発射装置を有するように構成することもでき、レーザ光によりホログラムに立体画像を映し出すことによって遊技者を楽しませることができる。
【００２４】
また、このように映像投影部材がホログラムを有する場合であっても、光ビーム発射部からの光ビームはホログラムにより乱反射され、ホログラムの配された部分にも映像視認面が形成される遊技機の提供ができる。
【００２５】
以下、本発明の実施形態を、図面に基づいてより具体的に説明する。
【００２６】
［遊技機の構成］
本発明に係る遊技機に好適な実施形態として本発明の遊技機をパチンコ遊技機に適用した場合について図１を参照して示す。
【００２７】
図１はパチンコ遊技機１０の正面図である。パチンコ遊技機１０は、本体枠１２と、本体枠１２に組み込まれた遊技盤１１と、遊技球流下障害部材である障害釘３２や風車３３を配し、映像視認面１７が形成される映像表示部保持盤３９と、本体枠１２の前面に設けられた上皿１３及び下皿１４と、下皿１４の右側に設けられた操作ハンドル２１と、庇５５が配置されている。
【００２８】
また、遊技盤１１の表面（遊技者に面する面）には障害釘２２や風車２３が配され、一般入賞口１５、始動口１６及び大入賞口１８が設けられている。
【００２９】
映像表示部保持盤３９は遊技盤１１に着脱可能とされ、遊技盤１１の表面と映像表示部保持盤３９の表面（遊技者に面する面）とは略同一面となるように配されている。映像表示部保持盤３９の遊技盤１１への着脱機構については後述する。なお、図１において、障害釘２２及び風車２３については、図１には一部分のみが記載されており、多くは記載が省略されているが、障害釘２２及び風車２３は遊技盤１１の表面（遊技者側の面）の全面に適宜配されている。
【００３０】
また、操作ハンドル２１は本体枠１２に対して回動自在に設けられており、遊技者が操作ハンドル２１を操作することにより、遊技球２０が遊技盤１１に打ち出されるようになされている。
【００３１】
［遊技の簡単な説明］
操作ハンドル２１が遊技者によって握持され、かつ、時計回り方向へ回動操作されたときには、その回動角度に応じた弾発力が遊技球２０に付与され、上皿１３に貯留された遊技球２０が遊技盤１１に順次発射される。
【００３２】
発射された遊技球２０は、遊技盤１１上に設けられたガイドレール１９ａおよびガイドレール１９ｂに案内されて遊技盤１１の上部に移動し、その後、遊技盤１１に設けられた障害釘２２や風車２３または／および映像視認面３３に設けられた障害釘３２や風車３３に衝突して複雑に進行方向を変化しながら流下する。
【００３３】
そして、遊技球が一般入賞口１５に入球した場合には、例えば入球１個につき１０球の遊技球が賞球として払い出され、始動口１６に入球した場合には、入球１個につき例えば５球の遊技球が賞球として払い出されるので、遊技者は賞球を得ることを遊技の楽しみとすることができるものである。
【００３４】
また、この始動口１６に遊技球が入ると、映像視認面１７に図柄が変動表示される。そして、映像視認面１７における図柄の変動表示が停止して、図柄が所定の組合せとなると、大入賞口１８が開放して、遊技球が大入賞口１８に容易に複数個入球できるようになり、例えば入球１個につき１０球の遊技球が賞球として払い出される大当り状態となり、遊技者は更に大きな利益と興奮を得ることが出来る。
【００３５】
このような遊技者が大きな利益を得ることができる状態においては、映像視認面１７には、様々の演出効果の映像が表現されて遊技者の興奮をさらに映像面より盛り上げる。
【００３６】
このようにパチンコ遊技機１０により遊技者は遊技を楽しむことができるが、遊技球２０が流下して、障害釘２２または／及び障害釘３２や、風車２３または／及び風車３３により進行方向を変える部分の面積が広いほど遊技球の動きは複雑となって、遊技者はより多くの面白みを感じることができるものであり、また、映像視認面１７の面積が広いほど遊技者は視覚情報をより多く得ることができ遊技の興奮は高まるものである。
【００３７】
[映像表示部保持盤の着脱機構]
ここで、遊技者によっては遊技球２０が流下する遊技盤１１並びに遊技球流下障害部材である障害釘３２及び風車３３が配された部分の面積が広い遊技機で遊技を楽しむことを望み、遊技者によっては映像視認面１７の面積が広い遊技機で楽しむことを望む場合が生じる。
【００３８】
そこで、実施の形態のパチンコ遊技機１０は映像表示部保持盤３９と遊技盤１１を着脱可能構造とし、パチンコ遊技機１０における映像表示部保持盤３９を交換可能として、両者の比率の調整ができるようにされている。以下にいくつかの実施例について図面に沿って説明する。
【００３９】
[実施例１]
図２に実施例１を示す。図２は、図１に示すパチンコ遊技機１０の側面方向から見た断面図である。紙面に向かって左側が遊技者の位置であり、右側が本体枠１２の内部である。映像表示装置は液晶表示部３５で構成され、液晶表示３５は映像表示部保持盤３９の開口部に配され、映像視認面１７は遊技者から視認可能となされている。映像表示部保持盤３９の表面は遊技盤１１と略同一の平面に配され、障害釘３２や風車３２が設けられている。なお、液晶表示部３５は液晶（Ｌ．Ｃ．Ｄ．）及びこの液晶を駆動する液晶駆動電気回路部を一体にしたものである。
【００４０】
液晶表示部３５と映像表示部保持盤３９とは、液晶表示部取り付け金具３６ａ及び液晶表示部取り付け金具３６ｂ並びにビス３７、ビス３８を用いて固着され、障害釘３２等が配された映像表示部保持盤３９の表面及び映像視認面１７とは略同一平面を形成するように取り付けがなされている。
【００４１】
また、遊技盤１１と映像表示部保持盤３９とは、保持盤取り付け部材４０及び保持盤取り付け部材４２並びにビス４１ａ、ビス４１ｂ、ビス４３ａ及びビス４３ｂとによって固着され、障害釘２２等が配された遊技盤１１の表面、障害釘３２等が配された映像表示部保持盤３９の表面とは略同一平面を形成するように取り付けがなされ、これにより遊技球２０の流下は妨げられることなく自然に行われる。なお、液晶表示部３５の表面には遊技球２０が接触して傷が生ずるのを防止するための保護膜を配しても良く、庇５５のつばを延長して液晶表示部３５の映像視認面１７に遊技球２０が流下することがないようにする場合には映像視認面１７と映像表示部保持盤３９の表面とを異なる面上に配しても良い。
【００４２】
実施例１では、遊技盤１１と接する映像表示部保持盤３９の外周部の形状を所定の形状に保ちながら、液晶表示部３５と映像表示部保持盤３９の面積の比率が予め異なるいくつかの映像表示部保持盤３９を用意しておき、これらの一つを選択して遊技盤１１に取り付ければ、遊技球流下障害部材である障害釘３２等を配した部分の面積と液晶表示部３５の表面に形成される映像視認面１７の面積の比率を任意に変え遊技者の要望に迅速に応えることができる。
【００４３】
なお、遊技球２０が入賞する一般入賞口１５、始動口１６及び大入賞口１８を遊技盤１１にのみ設ければ、より映像表示部保持盤３９の交換が容易になるものである。
【００４４】
このときに、液晶駆動電気回路部と遊技機１０の本体枠１２に設けられた回路部との接続はコネクタを用いてワンタッチで交換される。
【００４５】
なお、上述の実施例では、映像表示部保持盤３９には、障害釘３２または／及び風車３３を配するものとしたが、実施例１の変形例としては、障害釘３２及び風車３３を備えないものであっても良い。この場合には、液晶表示部３５の大きさを映像表示部保持盤３９の大きさ内の範囲で交換可能とする利点を生かして、遊技盤１１の面積と映像視認面１７の面積の比率を調整可能とできる。
【００４６】
[実施例２]
図３に実施例２を示す。図３は、図１に示すパチンコ遊技機１０の側面方向から見た断面図である。紙面に向かって左側が遊技者の位置であり、右側が本体枠１２の内部である。以下、実施例１と同一の作用を奏し、同一の構成を有する部材には同一の符号を付して説明を省略する。
【００４７】
実施例２では実施例１の映像表示部保持盤３９に替えて透明部材で構成される映像表示部保持盤４９を用いる。映像表示部保持盤４９の表面（遊技者側）には障害釘３２等が配され、映像表示部保持盤４９の裏面には液晶表示部３５が配されている。このために、障害釘３２や風車３３を実施例１よりも広い面に取り付けることが可能となり、遊技者は映像表示部保持盤４９を介して映像視認面１７を視認することができる。
【００４８】
液晶表示部３５と映像表示部保持盤４９とは、液晶表示部取り付け金具３６ａ及び液晶表示部取り付け金具３６ｂ並びにビス３７及びビス３８を用いて固着され、遊技盤１１の表面、映像表示部保持盤４９の表面とは略同一平面を形成するように取り付けがなされている。
【００４９】
また、遊技盤１１と映像表示部保持盤４９とは、保持盤取り付け部材４０及び保持盤取り付け部材４２並びにビス４１ａ、ビス４１ｂ、ビス４３ａ及びビス４３ｂを用いて固着されている。
【００５０】
障害釘２２等が配された遊技盤１１の表面と障害釘３２等が配された映像表示部保持盤４９の表面とは略同一平面を形成するように取り付けがなされ、これにより遊技球２０の流下は妨げられることなく自然に行われる。ここで、映像視認面１７は映像表示部保持盤４９の表面に形成される。
【００５１】
実施例２では、遊技盤１１と接する映像表示部保持盤４９の外周部の形状を所定の形状に保ちながら液晶表示部３５と映像表示部保持盤４９の面積の比率が予め異なるいくつかの映像表示部保持盤４９を用意しておき、これらの一つを選択して遊技盤１１に取り付ければ、遊技球流下障害部材である障害釘３２等を配した部分の面積と液晶表示部３５の表面に形成される映像視認面１７の面積の比率を任意に変え遊技者の要望に迅速に応えることができるものであり、液晶表示部３５を映像表示部保持盤４９の裏面に配するので、実施例１よりも障害釘１７等の配される部分の面積及び映像視認面１７の面積をより広くすることができる。
【００５２】
なお、遊技球２０が入賞する一般入賞口１５、始動口１６及び大入賞口１８を遊技盤１１にのみ設ければ、より映像表示部保持盤４９の交換が容易になるものである。このときに、液晶駆動電気回路部と遊技機１０の本体枠１２に設けられた回路部との接続はコネクタを用いてワンタッチで交換される。
【００５３】
[実施例３]
図４に実施例３を示す。図４は、図１に示すパチンコ遊技機１０の側面方向から見た断面図である。紙面に向かって左側が遊技者の位置であり、右側が本体枠１２の内部である。以下、実施例１または実施例２と同一の作用を奏し、同一の構成を有する部材には同一の符号を付して説明を省略する。
【００５４】
実施例３では、映像表示装置は、映像投影部材４５及びビデオプロジェクタ４６を有している。
【００５５】
映像表示部保持盤４９は透明部材で構成されており、映像表示部保持盤４９の表面（遊技者側）には障害釘３２等が配され、映像表示部保持盤４９の裏面には映像投影部材４５が配されている。このために、障害釘３２や風車３３を実施例１よりも広い面に取り付けることが可能となり、遊技者は映像表示部保持盤４９の表面に形成される映像視認面１７を視認することができるようになされている。
【００５６】
光ビーム発射部は、従来から用いられているビデオプロジェクタ４６により構成されており、Ｒ（Ｒｅｄ）．Ｇ（Ｇｒｅｅｎ）．Ｂ（Ｂｌｕｅ）の３原色に分解した映像信号をレンズで拡大して映像投影部材４５に投影が可能となるように本体枠１２の内部に取り付けられている。
【００５７】
映像投影部材４５は、ビデオプロジェクタ４６から発射される光ビームを遊技者の側に乱反射させ、これにより遊技者が映像表示部保持盤４９の表面に映像視認面１７の形成がなしうるようにされている。映像投影部材４５は、光ビームを遊技者側に乱反射する性質を有する部材であればどのようなものでも良く、例えば、すりガラス、回折格子、ホログラムであっても良い。
【００５８】
図５に映像投影部材４５の拡大図及び光ビームの乱反射を図式的に示すものである。ビデオプロジェクタ４６から発射された光ビーム５０は、映像投影部材４５を透過し、出射側の表面で乱反射して光ビーム５０ａないし光ビーム５０ｃを発生する。直進する光ビーム５０によっては、遊技者は映像を視認することができないが、このような乱反射した散乱光によって遊技者は映像を視認することが可能となる。
【００５９】
遊技盤１１と映像投影部材４５とは、保持盤取り付け部材４０及び保持盤取り付け部材４２並びにビス４１ａ、ビス４１ｂ、ビス４３ａ及びビス４３ｂとによって固着され、障害釘２２等が配された遊技盤１１の表面、障害釘３２等が配された映像表示部保持盤４９の表面とは略同一平面を形成するように取り付けがなされ、これにより遊技球２０の流下が妨げられることなく自然に行われる。
【００６０】
また、映像投影部材４５と映像表示部保持盤４９との位置関係は、映像表示部保持盤４９の裏面に映像投影部材４５を配するのみでなく、図６に示すように映像表示部保持盤３９の一部に開口を設けて、この開口部に映像投影部材４５を接着剤で貼り付けて配することもできる。
【００６１】
更に、図７に示すように反射鏡５１及びビデオプロジェクタ４６を反射鏡保持板５２に配して、ビデオプロジェクタ４６から発射される光ビームの光路を折り曲げる構造を採用すれば、パチンコ遊技機１０の奥行きの長さを長くすることなく映像視認面１７を広くすることが可能となる。
【００６２】
反射鏡保持板５２は遊技盤１１または／及び映像表示部保持盤４９に固着金具で固着され、反射鏡保持板５２にビデオプロジェクタ４６及び映像投影部材４５が固着されているので、これらの部材の相対的な位置関係に変化がなく振動や衝撃がパチンコ遊技機１０に加わっても映像にぶれが生じることを緩和できる。
【００６３】
実施例３では、遊技盤１１と接する映像表示部保持盤４９の外周部の形状を所定の形状に保ちながら映像投影部材４５と映像表示部保持盤４９の面積の比率が予め異なる、いくつかの、映像表示部保持盤４９並びに反射鏡５１及びビデオプロジェクタ４６が配された反射鏡保持板５２のセットを用意しておき、これらの一つを選択して遊技盤１１と組み合わせれば、遊技球流下障害部材等を配した部分の面積と映像投影部材４５により定まる映像視認面１７の面積の比率を任意に変え遊技者の要望に迅速に応えることができるものである。
【００６４】
なお、遊技球２０が入賞する一般入賞口１５、始動口１６及び大入賞口１８を遊技盤１１にのみ設ければより映像装置の交換が容易になるものである。
このときに、液晶駆動電気回路部と遊技機１０の本体枠１２に設けられた回路部との接続はコネクタを用いてワンタッチで交換される。
【００６５】
[実施例４]
図８に実施例４を示す。図８は、図１に示すパチンコ遊技機１０の側面方向から見た断面図である。紙面に向かって左側が遊技者の位置であり、右側が本体枠１２の内部である。実施例４では、映像表示装置は、映像投影部材４５、ビデオプロジェクタ４６に加えて、レーザ光発射装置４７を有している。以下、実施例１ないし実施例３と同一の作用を奏し、同一の構成を有する部材には同一の符号を付して説明を省略する。
【００６６】
映像投影部材４５の全部または一部にホログラムが形成されている。このホログラムは、例えば、レーザ光を２つに分けて一方を物体に照射し、一方を参照光として、参照光と物体光とを干渉させて干渉縞を写真乾板等に記録したものである。
【００６７】
このような干渉縞を有するホログラムにレーザ光である再生光が１５度ないし４５度程度の角度で照射されるようになされている。このような構成において、レーザ光と干渉縞との相互作用によって発生する散乱光を遊技者は視認することができ、遊技者は立体的な静止した物体の映像を見ることができる。なお、ビデオプロジェクタ４６から発射される光ビームがホログラムに照射されるとホログラムの表面で光ビームは散乱されるので、遊技者はビデオプロジェクタ４６によって生成される動画を含む映像も同時に視認することができる。
【００６８】
このような構成の遊技機において、例えば、大当たりとなったときに、レーザ光発射装置４７に通電してレーザ光を照射すると、レーザ光が照射されている間に立体画像が映像視認面１７の全部または一部に表示され遊技者の興奮をより高めることができる。
【００６９】
上述の実施の形態は本発明の実施形態の具体例を例示したに過ぎず、特に本発明を限定するものではない。すなわち、本発明は、主に、発射された遊技球を上部側から下部側へ流下案内可能とする遊技盤と、遊技盤の表面と略同一平面を形成して着脱可能とされる映像表示部保持盤と、映像表示部保持盤に映像視認面を形成する映像表示装置と、を備える遊技機であるが、遊技盤、映像表示装置などの具体的構成は、適宜設計変更可能である。
【００７０】
また、本発明の実施形態に記載された効果は、本発明から生じる最も好適な効果を列挙したに過ぎず、本発明による効果は、本発明の実施形態に記載されたものに限定されるものでもない。
【図面の簡単な説明】
【００７１】
【図１】本発明の実施形態のパチンコ遊技機の正面図である。
【図２】本発明の実施の形態のパチンコ遊技機の側面図である。
【図３】本発明の実施の形態のパチンコ遊技機の側面図である。
【図４】本発明の実施の形態のパチンコ遊技機の側面図である。
【図５】映像投影部材の作用の説明図である。
【図６】本発明の実施の形態のパチンコ遊技機の側面図である。
【図７】本発明の実施の形態のパチンコ遊技機の側面図である。
【図８】本発明の実施の形態のパチンコ遊技機の側面図である。
【符号の説明】
【００７２】
１０ パチンコ遊技機
１１    遊技盤
２１    操作ハンドル
３５    液晶表示部
３６ａ  液晶表示部取り付け部材
３６ｂ  液晶表示部取り付け部材
３９    映像表示部保持盤
４０    取り付け部材
４２    取り付け部材
４５    映像投影部材
４６    ビデオプロジェクタ
４７    レーザ光発射装置
４９    映像表示部保持盤
５０    光ビーム
５０ａ  光ビーム
５０ｂ  光ビーム
５０ｃ  光ビーム
５１    反射鏡
５２    反射鏡保持板
５５    庇
【図１】
2005323918.tif 000003
【図２】
2005323918.tif 000004
【図３】
2005323918.tif 000005
【図４】
2005323918.tif 000006
【図５】
2005323918.tif 000007
【図６】
2005323918.tif 000008
【図７】
2005323918.tif 000009
【図８】
2005323918.tif 000010